(57)【要約】【課題】回動部材の閉じ動作に連動させてトレイ部材を閉じ位置へと復帰させることが可能な記録装置を提供する。【解決手段】筐体１１に設けられ、この筐体１１の少なくとも一部を覆う閉じ位置とその閉じ位置から離れる開き位置との間で回動可能な回動部材８０と、筐体１１に対して開閉可能に回動し、回動部材８０を開き位置に向けて回動させた際にその回動部材８０の回動によって開き位置に向かって押し込まれるトレイ部材９４と、回動部材８０を閉じ位置に向けて回動させると回動部材８０による押し込みの開放によりトレイ部材９４を閉じ位置へと復帰させる復帰手段９３２と、を具備している。【選択図】図１
2013255151.tif 000002
【特許請求の範囲】
【請求項１】
筐体と、
前記筐体に設けられ、当該筐体の少なくとも一部を覆う閉じ位置とその閉じ位置から離れる開き位置との間で回動可能な回動部材と、
前記筐体に対して開閉可能に回動し、前記回動部材を開き位置に向けて回動させた際にその回動部材の回動によって開き位置に向かって押し込まれるトレイ部材と、
前記回動部材を閉じ位置に向けて回動させると当該回動部材による押し込みの開放により前記トレイ部材を閉じ位置へと復帰させる復帰手段と、
を具備することを特徴とする記録装置。
【請求項２】
請求項１記載の記録装置であって、
前記回動部材は、前記筐体に対して開閉可能に設けられるスキャナーユニットであると共に、
前記トレイ部材は、複数の記録媒体を載置可能であると共に単数の記録媒体のみを搬送するための分離機構へと当該記録媒体を導く給紙トレイとは別に設けられると共に前記記録媒体を使用の都度載置させるための手差しトレイである、
ことを特徴とする記録装置。
【請求項３】
請求項１記載の記録装置であって、
前記回動部材は、前記筐体に対して開閉可能に設けられると共に前記閉じ位置では当該筐体の上方側を覆うカバー部材であると共に、
前記トレイ部材は、複数の記録媒体を載置可能であると共に単数の記録媒体のみを搬送するための分離機構へと当該記録媒体を導く給紙トレイとは別に設けられると共に前記記録媒体を使用の都度載置させるための手差しトレイである、
ことを特徴とする記録装置。
【請求項４】
請求項１記載の記録装置であって、
前記回動部材は、記録媒体をイメージセンサーによる読み取り位置に搬送させる自動送り機構部であると共に、
前記トレイ部材は、複数の前記記録媒体を載置可能であると共に単数の前記記録媒体のみを搬送するための分離機構へと当該記録媒体を導く給紙トレイとは別に設けられると共に前記記録媒体を使用の都度載置させるための手差しトレイである、
ことを特徴とする記録装置。
【請求項５】
請求項１から４のいずれか１項に記載の記録装置であって、
前記復帰手段は、付勢手段を具備すると共に、
前記回動部材を前記開き位置に位置させた場合には、前記復帰手段は、前記トレイ部材が前記開き位置と前記閉じ位置の間の中間位置に位置する状態で前記付勢手段により当該トレイ部材に対して前記閉じ位置へと戻す付勢力を与えると共に、
前記復帰手段による付勢力に抗して前記トレイ部材を前記中間位置から前記開き位置に位置させた場合には、前記回動部材による前記トレイ部材への押し込みが解除された状態で前記トレイ部材が前記開き位置に位置するのを維持する、
ことを特徴とする記録装置。
【請求項６】
請求項５記載の記録装置であって、
前記トレイ部材は、回動軸を介して回動自在に設けられ、
前記復帰手段は、前記トレイ部材のうち前記回動軸から離間する端部側に位置する当接部が当接する摺動面を具備し、
前記摺動面は前記付勢手段による付勢力を前記当接部に与え、
前記トレイ部材が前記中間位置から前記開き位置に向かって回動する際に、前記当接部が前記摺動面から外れ、当該摺動面からの外れによって前記トレイ部材には前記付勢手段による付勢力が与えられずに当該トレイ部材が前記開き位置に位置するのを維持する、
ことを特徴とする記録装置。
【発明の詳細な説明】
【技術分野】
【０００１】
本発明は、記録装置に関する。
【背景技術】
【０００２】
記録装置の中には、たとえば特許文献１に示すような手差しトレイを備えるタイプが存在する。かかる特許文献１では、２段の手差しトレイが開示されていて、上方の手差しトレイを開く場合には、その開放に連動して、下方の手差しトレイも開くように設けられている。
【先行技術文献】
【特許文献】
【０００３】
【特許文献１】特開２００４−４０６２７号公報（段落００４３等）
【発明の概要】
【発明が解決しようとする課題】
【０００４】
特許文献１に開示の構成によれば、２つの手差しトレイを開く際に、その開き動作を連動させることは可能である。しかしながら、２つの手差しトレイを閉じる場合に、その閉じ動作を連動させることはできない。特に、手差しトレイを使わないにも拘わらず、その手差しトレイが開いてしまう場合があり、そのようなときに手差しトレイが自動的に閉じる（復帰する）ことが望まれている。たとえばスキャナーユニットを備える複合機タイプの記録装置では、インクカートリッジの交換や紙ジャムの除去のためにスキャナーユニットを、その回動軸を中心として揺動させると、奥側に位置している手差しトレイが倒れるように開いてしまう。そのような場合、意図的に手差しトレイを開いた訳ではないので、手差しトレイが開いた状態に気付かない場合も多い。
【０００５】
本発明は上記の事情にもとづきなされたもので、その目的とするところは、回動部材の閉じ動作に連動させてトレイ部材を閉じ位置へと復帰させることが可能な記録装置を提供しよう、とするものである。
【課題を解決するための手段】
【０００６】
上記課題を解決するために、本発明の記録装置は、筐体と、筐体に設けられ、当該筐体の少なくとも一部を覆う閉じ位置とその閉じ位置から離れる開き位置との間で回動可能な回動部材と、筐体に対して開閉可能に回動し、回動部材を開き位置に向けて回動させた際にその回動部材の回動によって開き位置に向かって押し込まれるトレイ部材と、回動部材を閉じ位置に向けて回動させると当該回動部材による押し込みの開放によりトレイ部材を閉じ位置へと復帰させる復帰手段と、を具備するものである。
【０００７】
このように構成する場合には、回動部材を閉じ位置から開き位置に向けて開動させると、回動部材の開き位置では、当該回動部材がトレイ部材を開き位置に向けて押し込む状態となる。しかしながら、回動部材を開き位置から閉じ位置へと向けて回動させると、トレイ部材は復帰手段によって閉じ位置へと戻される。それにより、回動部材が開き位置へ位置した際にトレイ部材を開き位置に位置させたままとするのを防止可能となる。そのため、トレイ部材が意図せぬ開き状態のままとするのを防止可能となる。
【０００８】
また、本発明の他の側面は、上述の発明において、回動部材は、筐体に対して開閉可能に設けられるスキャナーユニットであると共に、トレイ部材は、複数の記録媒体を載置可能であると共に単数の記録媒体のみを搬送するための分離機構へと当該記録媒体を導く給紙トレイとは別に設けられると共に記録媒体を使用の都度載置させるための手差しトレイである、ことが好ましい。
【０００９】
このように構成する場合には、スキャナーユニットを開き位置まで回動させ、その後スキャナーユニットを閉じ位置まで回動させた場合に、手差しトレイは復帰手段によって閉じ位置へと自動的に戻される。それにより、手差しトレイが開いた状態のままとするのを防ぐことが可能となる。特に、手差しトレイはスキャナーユニットよりも奥側に位置する場合が多く、そのような状態では手差しトレイが開いていても気付き難い場合が多い。しかしながら、手差しトレイが復帰手段によって自動的に閉じ位置まで戻されるため、手差しトレイが開いたままの状態とするのを防止可能となる。
【００１０】
さらに、本発明の他の側面は、上述の発明において、回動部材は、筐体に対して開閉可能に設けられると共に閉じ位置では当該筐体の上方側を覆うカバー部材であると共に、トレイ部材は、複数の記録媒体を載置可能であると共に単数の記録媒体のみを搬送するための分離機構へと当該記録媒体を導く給紙トレイとは別に設けられると共に記録媒体を使用の都度載置させるための手差しトレイである、ことが好ましい。
【００１１】
このように構成する場合には、カバー部材を開き位置まで回動させ、その後カバー部材を閉じ位置まで回動させた場合に、手差しトレイは復帰手段によって閉じ位置へと自動的に戻される。それにより、手差しトレイが開いた状態のままとするのを防ぐことが可能となる。この場合においても、手差しトレイはカバー部材よりも奥側に位置する場合が多く、そのような状態では手差しトレイが開いていても気付き難い場合が多い。しかしながら、手差しトレイが復帰手段によって自動的に閉じ位置まで戻されるため、手差しトレイが開いたままの状態とするのを防止可能となる。
【００１２】
また、本発明の他の側面は、上述の発明において、回動部材は、記録媒体をイメージセンサーによる読み取り位置に搬送させる自動送り機構部であると共に、トレイ部材は、複数の記録媒体を載置可能であると共に単数の記録媒体のみを搬送するための分離機構へと当該記録媒体を導く給紙トレイとは別に設けられると共に記録媒体を使用の都度載置させるための手差しトレイである、ことが好ましい。
【００１３】
このように構成する場合には、自動送り機構部を開き位置まで回動させ、その後自動送り機構部を閉じ位置まで回動させた場合に、手差しトレイは復帰手段によって閉じ位置へと自動的に戻される。それにより、手差しトレイが開いた状態のままとするのを防ぐことが可能となる。この場合においても、手差しトレイは自動送り機構部よりも奥側に位置する場合が多く、そのような状態では手差しトレイが開いていても気付き難い場合が多い。しかしながら、手差しトレイが復帰手段によって自動的に閉じ位置まで戻されるため、手差しトレイが開いたままの状態とするのを防止可能となる。
【００１４】
さらに、本発明の他の側面は、上述の発明において、復帰手段は、付勢手段を具備すると共に、回動部材を開き位置に位置させた場合には、復帰手段は、トレイ部材が開き位置と閉じ位置の間の中間位置に位置する状態で付勢手段により当該トレイ部材に対して閉じ位置へと戻す付勢力を与えると共に、復帰手段による付勢力に抗してトレイ部材を中間位置から開き位置に位置させた場合には、回動部材によるトレイ部材への押し込みが解除された状態でトレイ部材が開き位置に位置するのを維持する、ことが好ましい。
【００１５】
このように構成する場合には、トレイ部材が中間位置に位置する状態においては、付勢手段によってトレイ部材には閉じ位置に戻す付勢力が与えられる。また、トレイ部材を中間位置から更に開き位置へと向けて回動させると、付勢手段が付勢力を与える状態が解除され、トレイ部材が開き位置に位置するのを維持可能となる。
【００１６】
また、本発明の他の側面は、上述の発明において、トレイ部材は、回動軸を介して回動自在に設けられ、復帰手段は、トレイ部材のうち回動軸から離間する端部側に位置する当接部が当接する摺動面を具備し、摺動面は付勢手段による付勢力を当接部に与え、トレイ部材が中間位置から開き位置に向かって回動する際に、当接部が摺動面から外れ、当該摺動面からの外れによってトレイ部材には付勢手段による付勢力が与えられずに当該トレイ部材が開き位置に位置するのを維持する、ことが好ましい。
【００１７】
このように構成する場合には、トレイ部材が中間位置に位置する状態において、さらにトレイ部材を開き位置に向けて回動させると、トレイ部材の当接部は、付勢手段による付勢力に抗しながら摺動面を摺動する。そして、トレイ部材を開き位置に向かって回動させると、いずれは当接部が摺動面から外れる。すると、当接部は摺動面を介して付勢手段からの付勢力を受けることがなくなる。それにより、トレイ部材は、開き位置に位置する状態を維持可能となる。すなわち、トレイ部材は、閉じ位置に位置する状態の他に、中間位置に位置する状態と、開き位置に位置する状態とを維持可能となる。
【図面の簡単な説明】
【００１８】
【図１】記録装置内部の搬送経路を示す側断面図である。
【図２】スキャナーユニットの閉じ状態の記録装置の構成を示す側面図である。
【図３】スキャナーユニットの開き状態の記録装置の構成を示す側面図である。
【図４】スキャナーユニットおよび手差しトレイが閉じ状態の場合の側断面図である。
【図５】スキャナーユニットが開いた状態を示す側断面図である。
【図６】手差しトレイが開き状態の場合の側断面図である。
【図７】トレイ基部の形状を示す斜視図である。
【図８】トレイ基部を裏側から見た状態を示す斜視図である。
【図９】フック部に対する手差しトレイの当接部の挙動を示す図である。
【図１０】記録装置の概略的な構成を示す図である。
【図１１】第２の実施の形態に係り、カバー部材の閉じ状態を示す側面図である。
【図１２】第２の実施の形態に係り、カバー部材の開き状態を示す側面図である。
【発明を実施するための形態】
【００１９】
（第１の実施の形態）
以下、本発明の第１の実施の形態に係る記録装置１０について、図面を参照しながら説明する。
【００２０】
＜記録装置１０の構成について＞
図１は、本発明の記録装置１０のうち、記録用紙Ｐを搬送する経路を示す側断面図である。なお、記録用紙Ｐは、記録媒体の一例に対応するが、たとえばフィルム状部材のような記録用紙Ｐ以外の記録対象物を記録媒体としても良い。また、本明細書における「記録」には、印刷が含まれるものとする。
【００２１】
また、以下の説明においては、図１に示すように、ＸＹＺ直交座標系を設定して説明する場合があるものの、その中で記録用紙Ｐの搬送方向のうち、記録装置１０の設置面に平行な成分をＸ方向とし、設置面から離間する方向をＺ方向とし、それらＸ方向およびＺ方向に直交する方向をＹ方向とする。また、図１の記録ヘッド５０から見て中間ローラー３２が位置する側を背面側とし、それとは逆に中間ローラー３２から見て記録ヘッド５０が位置する側を正面側とする。また、記録装置１０の設置面から見て記録装置１０が設置される側を上方側とし、それとは逆に記録装置１０から上述の設置面側を下方側とする。また、上述の正面側と背面側とを結ぶ方向と前後方向とする。
【００２２】
なお、記録装置１０は、たとえばインクジェット式のプリンターであるが、インクジェット式のプリンター以外に本発明を適用するようにしても良い。また、インクジェット式のプリンターとしては、インクを噴射して記録可能な装置であれば、いかなる噴射方法を採用した装置でも良い。
【００２３】
また、図１においては、記録用紙Ｐの搬送経路上に配置されるローラーを図示するものの、それらは記録装置１０の幅方向（Ｙ方向）において、同じ位置に存在するとは限らない。
【００２４】
記録装置１０は、筐体１１を備え、その筐体１１にはフロント給紙機構２０が設けられている。記録装置１０は、フロント給紙機構２０から記録用紙Ｐを記録ヘッド５０に向けて搬送し、その記録ヘッド５０での記録後、記録用紙Ｐを下流側に排出する。フロント給紙機構２０は、用紙カセット２１と、ピックアップローラー２２とを備えている。用紙カセット２１は、その内部に複数枚の記録用紙Ｐを積層した状態で収容可能となっている。また、ピックアップローラー２２は、不図示のモーターによって回転駆動されるが、このピックアップローラー２２は、アーム部材２４に取り付けられている。アーム部材２４は、揺動軸２５を中心に揺動可能に設けられている。上述のピックアップローラー２２は、用紙カセット２１に収容されている記録用紙Ｐと接して回転することにより、最上位に位置している記録用紙Ｐを、用紙カセット２１から後述する分離部材２６に向けて送り出す。
【００２５】
また、記録装置１０のうち、用紙カセット２１よりも背面側かつ上方側には、分離部材２６が設けられている。分離部材２６は、ピックアップローラー２２によって送り出された最上位の記録用紙Ｐの先端を当接させて、背面側かつ上方側に進行させる。そして、この当接によって、最上位の記録用紙Ｐと、次位以降の記録用紙Ｐとが分離される。
【００２６】
また、フロント給紙機構２０によって供給される記録用紙Ｐは、ガイドローラーユニット３０に送られる。ガイドローラーユニット３０は、ローラー３１と、中間ローラー３２と、アシストローラー３３とを備えている。ローラー３１と中間ローラー３２とは、複数の記録用紙Ｐから、最上位の記録用紙Ｐを分離する機能を有する。すなわち、複数の記録用紙Ｐが、ローラー３１と中間ローラー３２との間に差し掛かった場合、記録用紙Ｐの間の摩擦力よりも大きく設定されたローラー３１の回転抵抗を利用して、最上位の記録用紙Ｐと、それ以外の記録用紙Ｐとが分離される。なお、ローラー３１は分離ローラーとしてもアシストローラーとしても使用することが可能である。
【００２７】
また、ローラー３１よりも搬送方向における下流側には、アシストローラー３３が設けられている。アシストローラー３３は、中間ローラー３２によって従動回転させられつつも、当該中間ローラー３２との間で記録用紙Ｐを挟み込んで、記録用紙Ｐを搬送方向の下流側にガイドする。
【００２８】
また、ガイドローラーユニット３０よりも、記録用紙Ｐの搬送方向における下流側には、用紙搬送機構４０と、用紙排出機構６０とが設けられている。用紙搬送機構４０は、搬送モーター４１（図１０参照）と、搬送駆動ローラー４２と、搬送支持部材４３と、搬送従動ローラー４４とを備えている。搬送駆動ローラー４２は、搬送モーター４１によって駆動させられる。また、搬送従動ローラー４４は、搬送支持部材４３によって軸支されつつ搬送駆動ローラー４２に圧接され、その搬送駆動ローラー４２により搬送従動ローラー４４は従動回転させられる。このような構成により、記録用紙Ｐは、記録ヘッド５０側に搬送される。
【００２９】
また、用紙搬送機構４０より上流側の搬送支持部材４３には、紙端検出センサーＳ１が設けられる。紙端検出センサーＳ１は、記録用紙Ｐの先端及び後端の位置を検出可能とするものである。
【００３０】
また、用紙搬送機構４０よりも記録用紙Ｐの搬送方向における下流側には、記録用紙Ｐの上方側に記録ヘッド５０が位置可能となっている。記録ヘッド５０は、キャリッジ５１の下方に取り付けられている。キャリッジ５１は、記録装置１０の幅方向（主走査方向；Ｙ方向）に延伸するキャリッジ軸５２にガイドされて、キャリッジモーター５３（図１０参照）の駆動により主走査方向に往復動させられる。なお、図１０に示すように、キャリッジ５１には、例えば、イエロー（Ｙ）、マゼンタ（Ｍ）、シアン（Ｃ）、ブラック（Ｋ）の各色のインクを貯留するカートリッジ５４が搭載されていて、このカートリッジ５４から記録ヘッド５０にインクが供給されて、記録ヘッド５０からインクを噴射可能となっている。
【００３１】
記録ヘッド５０よりも記録用紙Ｐの搬送方向における下流側には、用紙排出機構６０が設けられている。用紙排出機構６０は、不図示の排出モーターと、排出駆動ローラー６１と、排出従動ローラー６２とを備えており、排出モーターの駆動によって排出駆動ローラー６１が回転駆動させられ、その排出駆動ローラー６１に圧接している排出従動ローラー６２が従動回転させられる。なお、用紙排出機構６０をさらに下流側に搬送される記録用紙Ｐは、不図示の用紙受け部へと排出される。
【００３２】
なお、本実施の形態における記録装置１０は、両面印刷に対応したものとなっている。この点を図１に基づいて説明すると、中間ローラー３２よりも正面側には用紙ガイド部材７０が設けられている。用紙ガイド部材７０は、中間ローラー３２の上下方向（Ｚ方向）における所定の高さ位置から正面側に向かうにつれて下方に進行するような搬送面７０ａを有している。なお、この搬送面７０ａは、フロント搬送経路Ｄ１を構成している。
【００３３】
一方、用紙ガイド部材７０よりも下方側には、フレーム部材７１が設けられている。フレーム部材７１は、用紙ガイド部材７０に対して、記録用紙Ｐが通過することが十分に可能な隙間を有して設けられている。そして、このフレーム部材７１の背面側の端部は、中間ローラー３２の下端の近傍まで延伸していて、そのフレーム部材７１には、回り込み部材７２が対向して設けられている。上述のフレーム部材７１の上面と、回り込み部材７２の上面は、記録用紙Ｐを正面側から背面側へと送り込む反転用搬送経路Ｄ２を構成していて、この反転用搬送経路Ｄ２によってガイドされた記録用紙Ｐは、中間ローラー３２とローラー３１との対向部位へと送り込まれる。
【００３４】
ここで、フロント搬送経路Ｄ１により記録用紙Ｐが記録ヘッド５０の下方位置まで搬送され、記録用紙Ｐへの記録（印刷）が行われた後に、その記録用紙Ｐが背面側に戻されると、その記録用紙Ｐは反転用搬送経路Ｄ２を進行するように構成されている。そして、記録用紙Ｐが反転用搬送経路Ｄ２を進行した後に、ガイドローラーユニット３０を通過することにより、記録用紙Ｐは、最初にガイドローラーユニット３０を通過したときと反転した状態となる。以上のように反転させられた記録用紙Ｐが、フロント搬送経路Ｄ１を経て再び記録ヘッド５０の下方へと搬送されることにより、記録用紙Ｐへの両面印刷が実行される。
【００３５】
また、記録装置１０には、回動部材としてのスキャナーユニット８０が設けられている。スキャナーユニット８０は、自動送り機構部８１と、スキャナー機構部８２とを備えている。自動送り機構部８１は、記録用紙Ｐを自動的に読み取り部へと送り込む機構を備えている。この自動送り機構部８１は、筐体８１１を備え、その筐体８１１によって自動送り機構部８１の各部分が支持されている。また、自動送り機構部８１は、その背面側に位置する軸受部８１２を介して、スキャナー機構部８２に対して回動可能に設けられている。なお、筐体８１１のうちスキャナー機構部８２と対向する側は、当該スキャナー機構部８２が備える原稿台８２２のカバーの役割を果たしている。
【００３６】
スキャナー機構部８２は、原稿台８２２上に位置する記録用紙Ｐをイメージセンサーによって読み取る部分である。スキャナー機構部８２は、筐体８２１と原稿台８２２とを備えていて、その他にキャリッジおよびイメージセンサーを備えている。筐体８２１は、スキャナー機構部８２の各部位を支持する部分である。また、原稿台８２２は、筐体８２１の上面側において筐体８２１に支持されている平板状のガラス等の透明部材から構成されていて、その原稿台８２２上に記録用紙Ｐを載置可能としている。また、キャリッジは、記録用紙Ｐに記録されている画像を読み取るイメージセンサーを搭載していて、筐体８２１の内部を不図示の駆動機構によって移動可能に設けられている。
【００３７】
また、スキャナー機構部８２は、その背面側に位置する軸受部（図示省略）を介して、記録装置１０の筐体１１に回動可能に設けられている。なお、本実施の形態では、軸受部は、筐体８２１よりも背面側に向かって延伸している延伸部分８２３に設けられている。それによって、スキャナー機構部８２は、記録装置１０の筐体１１に対して回動可能となっている。
【００３８】
なお、スキャナー機構部８２が軸受部を介して回動させられる場合、そのスキャナー機構部８２に対して筐体１１に設けられる軸受部８１２を介して取り付けられている自動送り機構部８１もその回動に対して一体的に回動させられる。すなわち、スキャナーユニット８０は、軸受部を介して回動可能に設けられていて、それによって図２および図４に示すようなスキャナーユニット８０の閉じ状態と、図３および図５に示すようなスキャナーユニット８０の開き状態とを実現可能としている。
【００３９】
なお、図２は、スキャナーユニット８０が閉じている状態の記録装置１０の概略的な側面構成を示すと共に、手差しトレイ９４も閉じている状態を示している。また、図３は、スキャナーユニット８０が開いている状態の記録装置１０の概略的な側面構成を示すと共に、手差しトレイ９４がスキャナーユニット８０に押された状態を示している。また、図４は、スキャナーユニット８０が閉じているときの手差しトレイ９４が閉じている状態を示している。また、図５は、スキャナーユニット８０が開いたときに手差しトレイ９４が後述する復帰部材９３２で保持されている状態を示している。また、図６は、スキャナーユニット８０は閉じているものの、手差しトレイ９４が開いた状態を示している。
【００４０】
＜手差しガイド機構９０について＞
続いて、手差しガイド機構９０について説明する。手差しガイド機構９０は、記録装置１０の背面側において、手差しによって記録用紙Ｐを差し込んで、当該差し込まれた記録用紙Ｐを記録装置１０の内部にガイドするための部分である。
【００４１】
手差しガイド機構９０は、記録装置１０の背面側に存在する手差し用開口部９１（図１参照）から、記録用紙Ｐを差し込む際に、その差し込みをガイドするものである。この手差しガイド機構９０は、手差しトレイ体９２と、開閉カバー９５と、上方ガイド部材１２０と、を有している。これらのうち手差しトレイ体９２は、トレイ基部９３と、トレイ部材としての手差しトレイ９４とを有している。図１に示すように、トレイ基部９３は、上述の中間ローラー３２の上方に位置している。なお、トレイ基部９３には、復帰部材９３２が設けられているが、その復帰部材９３２については後述する。
【００４２】
なお、トレイ部材に対応する手差しトレイ９４は、複数の記録用紙Ｐを載置可能であると共に単数の記録用紙Ｐのみを搬送するための分離機構へと記録用紙Ｐを導くものであり、用紙カセット２１等のような給紙トレイとは別に設けられ、記録用紙Ｐを使用の都度載置するものである。ここでいう分離機構とは、上述したようなローラー３１と中間ローラー３２のように、記録用紙Ｐを分離する機能を有するものである。なお、給紙トレイは、用紙カセット２１以外のものであっても良い。
【００４３】
また、トレイ基部９３の上方側の端部９３ｂには、手差しトレイ９４の正面側の端部（当接端部９４ｂ）が当接可能に設けられている。この手差しトレイ９４の側方には、回動軸９４ｃが設けられていて、その回動軸９４ｃは図示を省略する側方支持部によって回動可能に設けられている。また、手差しトレイ９４には、記録用紙Ｐの送り込みをガイドするガイド部９４ａが、図１および図５の開き状態における表面側に設けられている。そして、当接端部９４ｂの上部がトレイ基部９３の端部９３ｂに当接している状態（手差しトレイ９４が開いている状態）では、手差しトレイ９４のガイド部９４ａと、トレイ基部９３の傾斜部９３ａとが連なって、記録用紙Ｐを良好にガイド可能としている。
【００４４】
なお、手差しトレイ９４のガイド部９４ａの側方側には、記録用紙Ｐの幅に応じて当該記録用紙Ｐの搬送における傾きを抑えるためのサポート部材９７が設けられている。サポート部材９７は一対設けられていて、ガイド部９４ａの幅方向において互いに近接する、または互いに離間するように、対称に移動するように設けられている。また、ガイド部９４ａの傾斜角度と、傾斜部９３ａの傾斜角度は、同程度であることが好ましいが、記録用紙Ｐを良好にガイド可能であれば、必ずしも同程度でなくても良い。
【００４５】
また、図１に示すように、開閉カバー９５は、トレイ基部９３および手差しトレイ９４の上方側に位置し、それらトレイ基部９３および手差しトレイ９４に対して間隔を有する状態で設けられている。この開閉カバー９５の側方には、回動軸９５ａが設けられていて、その回動軸９５ａが図示を省略する支持部によって回動可能に支持されることで、開閉カバー９５は回動可能としている。この開閉カバー９５の開き状態においては、記録装置１０の内部への異物の入り込みが防止される。
【００４６】
また、手差しトレイ９４が図２および図４に示すような閉じ状態となる場合には、手差しトレイ９４の表面側の上端部分は、開き状態（図６参照）のときよりも正面側に位置する状態となる。ここで、手差しトレイ９４のサポート部材９７に対して開閉カバー９５の裏面９５ｂの上端側は当接しているため、手差しトレイ９４が閉じ状態となる場合には、開閉カバー９５も閉じ状態となる。なお、開閉カバー９５が閉じ状態となる場合には、その開閉カバー９５の表面側に突出する位置規制部９５ｃが、スキャナーユニット８０の背面側の端面８０ａに当接する。それによって、開閉カバー９５は、上下方向（Ｚ方向）に沿う起立状態となり、その開閉カバー９５に対して当接する手差しトレイ９４も閉じ状態を維持可能となる。
【００４７】
＜復帰部材９３２について＞
図７は、トレイ基部９３の形状を示す斜視図である。また、図８は、トレイ基部９３を裏側から見た状態を示す斜視図である。図７に示すように、トレイ基部９３は、本体部９３１を有し、さらにその本体部９３１と共に背面側から正面側に向かうにつれて上方から下方に向かうような傾斜部９３ａを有している。
【００４８】
また、図１〜図８に示すように、トレイ基部９３の長手方向における中央側には、復帰手段としての復帰部材９３２が設けられている。復帰部材９３２は、板状部９３３と、フック部９３４とを有している。板状部９３３は、図５に示す構成では、略Ｌ字型の板状の部分であり、付勢手段に対応する。この板状部９３３は、後述するフック部９３４に手差しトレイ９４の下端側が接触するか否か等に応じて、撓み変形することを可能としている。
【００４９】
フック部９３４は、板状部９３３に連続して設けられている。このフック部９３４は、図７および図８に示すように、板状部９３３よりも上方側に向かって突出する形状に設けられている。このフック部９３４には、摺動面としての傾斜面９３４ａが設けられている。傾斜面９３４ａは、上流側から下流側に向かうにつれて、上方側に向かうように傾斜して設けられている。しかも、この傾斜面９３４ａの傾斜角度は、以下のように定められている。すなわち、手差しトレイ９４が回動軸９４ｃを支点として回動する場合、手差しトレイ９４の下端側は、傾斜面９３４ａに当接する（以下、手差しトレイ９４の下端側で、傾斜面９３４ａに当接する部分を、当接部Ｈと称呼する。）。その場合、手差しトレイ９４が開き方向に向かって倒れると、当接部Ｈは下流側かつ上方側に向かって移動するが、この移動において、当接部Ｈは傾斜面９３４ａに干渉する状態となる。
【００５０】
この状態を、図９を用いて説明する。図９では、板状部９３３が撓んでいない状態におけるフック部９３４が示されると共に、回動軸９４ｃを支点として回動する手差しトレイ９４の当接部Ｈが二点鎖線で示されている。図９に示すように、手差しトレイ９４が開き方向に回動するにつれて、回動軸９４ｃの中心Ｃから当接部Ｈまでを結ぶ距離Ｒａよりも、その回動軸９４ｃの中心Ｃから当接部Ｈに向かう方向において回動軸９４ｃの中心Ｃから傾斜面９３４ａまでの距離Ｒｂの方が、徐々に小さくなっていく。すなわち、手差しトレイ９４が開き方向に回動させられた場合に、当接部Ｈが傾斜面９３４ａに最初に接触する部位では、距離Ｒａと距離Ｒｂとはほとんど等しい状態となっている。しかしながら、手差しトレイ９４が開き方向に回動させられるにつれて、距離Ｒｂは距離Ｒａよりも徐々に小さくなっていく。
【００５１】
そのため、当接部Ｈが傾斜面９３４ａに当接した後に、手差しトレイ９４が開き方向に回動させられると、当接部Ｈはフック部９３４を徐々に押し下げ、その押し下げによって板状部９３３の撓み量が徐々に大きくなっていく。
【００５２】
しかしながら、手差しトレイ９４が、自動送り機構部８１の端面によって開き方向に回動する場合（図３および図５の場合）においては、当接部Ｈは、フック部９３４の頂部Ｔを乗り越えない。すなわち、手差しトレイ９４が自動送り機構部８１の端面による押し込みでは、当接部Ｈは頂部Ｔを乗り越えるには至らない。加えて、手差しトレイ９４の自重により板状部９３３を撓ませる場合でも、その撓み力は、当接部Ｈが頂部Ｔに位置したときに板状部９３３の撓みによって傾斜面９３４ａから手差しトレイ９４に与えられる力よりも小さいものとなっている。
【００５３】
そのため、手差しトレイ９４が自動送り機構部８１の端面による押し込みで開き方向に回動する場合（図３および図５の場合）においても、当接部Ｈは、傾斜面９３４ａのうち頂部Ｔよりも下方側の部位で傾斜面９３４ａに対してそれ以上摺動しなくなり、それによって手差しトレイ９４の開き方向への回動が規制される。すなわち、手差しトレイ９４は、開き位置と閉じ位置との間の中間位置で停止する（移動しない）状態となる。
【００５４】
ただし、ユーザーが手差しトレイ９４を把持しつつ、その手差しトレイ９４を開き方向へ回動させた場合（図６の場合）には、当接部Ｈの傾斜面９３４ａへの当接を介して板状部９３３には、当該板状部９３３を大きく撓ませるだけの力が与えられる。それにより、当接部Ｈは傾斜面９３４ａの頂部Ｔを乗り越えて、手差しトレイ９４が開き位置に位置することが可能となっている。かかる頂部Ｔを当接部Ｈが乗り越える場合においても、板状部９３３は破損せずに、大きく撓むことが可能に設けられている。また、手差しトレイ９４が開く場合において、当接部Ｈが頂部Ｔを乗り越えた後には、手差しトレイ９４は不図示の係止部に係止され、それによって手差しトレイ９４の開き状態が維持される。なお、頂部Ｔとは、フック部９３４のうち、最も上方側に位置する部分である。
【００５５】
また、図１０に示すように、記録装置１０は、上記の構成以外に、制御部１４０を有している。制御部１４０は、上述した記録ヘッド５０、搬送モーター４１、キャリッジモーター５３等の駆動を司る。制御部１４０は、通信インターフェース１４１を備えていて、この通信インターフェース１４１を介して、コンピューターＰＳとの間で通信を行うことを可能としている。
【００５６】
＜動作について＞
以上のような構成を有する記録装置１０のうち、手差しトレイ９４に関する動作について、以下に説明する。
【００５７】
記録装置１０においては、通常は、スキャナーユニット８０は、図２および図４に示すような閉じた状態となっており、また手差しトレイ９４も閉じた状態となっている。しかしながら、インクカートリッジを交換したり、記録装置１０の内部で紙詰まりが生じる等する場合には、図３および図５に示すようにスキャナーユニット８０を回動させて、スキャナーユニット８０の開き状態とする。このとき、スキャナーユニット８０の自動送り機構部８１もスキャナー機構部８２と一体的に回動する。そのため、図３および図５に示すように、自動送り機構部８１の背面側の端面８０ａが手差しトレイ９４を押し込んで、手差しトレイ９４が開く向き（図３および図５では時計回りの向き）へ向かうように回動させる。なお、本実施の形態では、図２および図４に示すような閉じ状態では、端面８０ａは、開閉カバー９５に当接しているため、手差しトレイ９４は、開閉カバー９５を介して押し込まれることになる。しかしながら、端面８０ａが手差しトレイ９４を直接押し込む構成としても良い。
【００５８】
しかしながら、図３および図５に示す状態では、板状部９３３の撓み量は、当接部Ｈがフック部９３４の頂部Ｔ（図９参照）を超えさせるだけのものとはならない。そのため、手差しトレイ９４の当接部Ｈは、傾斜面９３４ａの途中部分に当接した状態を維持する。それにより、手差しトレイ９４は、図３および図５に示す状態から更に開き方向へ向かって回動するのが阻止される。
【００５９】
そして、スキャナーユニット８０を図３に示す開き位置から、図２に示すような閉じ位置へと回動させると、自動送り機構部８１の背面側の端面８０ａが、手差しトレイ９４を開き方向へ押し込むのが解除される。すると、板状部９３３が撓むように押し込んでいる力がなくなり、板状部９３３の撓み状態も解除される。それにより、手差しトレイ９４は、当該手差しトレイ９４が閉じる向き（図３および図５の状態から反時計回りの向き）に向かって回動させられる。すなわち、手差しトレイ９４は、図２および図４に示すような閉じ状態へと復帰させられる。
【００６０】
また、ユーザーが手差しトレイ９４を手で把持しつつ当該手差しトレイ９４が開く向きに回動させる場合（図６の状態にする場合）、板状部９３３には、当接部Ｈの傾斜面９３４ａへの当接を介して、当該板状部９３３を大きく撓ませるだけの力が与えられる。それにより、当接部Ｈは傾斜面９３４ａの頂部Ｔを乗り越え、さらに手差しトレイ９４が開く向きに回動することで、手差しトレイ９４は不図示の係止部に係止され、それによって手差しトレイ９４の開き状態が維持される。この手差しトレイ９４の開き状態においては、当該手差しトレイ９４を介して記録用紙Ｐを、記録装置１０の内部へ送り込むことが可能となっている。
【００６１】
＜効果＞
以上のような構成の記録装置１０によると、スキャナーユニット８０を閉じ位置から開き位置に向けて開動させると、そのスキャナーユニット８０は手差しトレイ９４を開き位置に向かって押し込む状態となる。しかしながら、スキャナーユニット８０を開き位置から閉じ位置へと向けて回動させると、手差しトレイ９４は復帰部材９３２によって閉じ位置へと戻される。それにより、スキャナーユニット８０が開き位置へ位置した際に手差しトレイ９４を開き位置に位置させたままとするのを防止可能となる。そのため、手差しトレイ９４が意図せぬ開き状態のままとするのを防止可能となる。
【００６２】
また、本実施の形態では、スキャナーユニット８０を開き位置まで回動させ、その後スキャナーユニット８０を閉じ位置まで回動させた場合に、手差しトレイ９４は復帰部材９３２によって閉じ位置へと自動的に戻される。それにより、手差しトレイ９４が開いた状態のままとするのを防ぐことが可能となる。特に、図１等に示すように、手差しトレイ９４はスキャナーユニット８０よりも奥側（背面側）に位置しているため、手差しトレイ９４が開いていても気付き難い場合が多い。しかしながら、手差しトレイ９４が復帰部材９３２によって自動的に閉じ位置まで戻されるため、手差しトレイ９４が開いたままの状態とするのを防止可能となる。
【００６３】
すなわち、手差しトレイ９４が意図せぬまま長時間に亘って開いた状態とするのを防止でき、手差し用開口部９１から埃等の異物が記録装置１０の内部に侵入するのを防止可能となる。
【００６４】
さらに、本実施の形態では、手差しトレイ９４が開き位置（図６に示す位置）と閉じ位置（図４に示す位置）との間の中間位置（図５に示す位置）に位置する状態においては、板状部９３３の撓み変形により、手差しトレイ９４には閉じ位置に戻す付勢力を良好に与えることが可能となる。また、手差しトレイ９４を中間位置から更に開き位置へと向けて回動させると、板状部９３３が付勢力を与える状態が解除され、手差しトレイ９４が開き位置に位置するのを維持可能となる。
【００６５】
また、本実施の形態では、手差しトレイ９４が中間位置に位置する状態において、さらに手差しトレイ９４を開き位置に向けて回動させると、手差しトレイ９４の当接部Ｈは、板状部９３３による付勢力に抗しながら傾斜面９３４ａを摺動する。そして、手差しトレイ９４を開き位置に向かって暫く回動させると、当接部Ｈが傾斜面９３４ａから外れる。すると、当接部Ｈは傾斜面９３４ａを介して板状部９３３からの付勢力を受けることがなくなる。そのため、手差しトレイ９４は、開き位置に位置する状態を維持可能となる。すなわち、手差しトレイ９４は、閉じ位置に位置する状態の他に、中間位置に位置する状態と、開き位置に位置する状態とを維持可能となる。
【００６６】
（第２の実施の形態）
以下、本発明の第２の実施の形態の記録装置１０について、図１１および図１２に基づいて説明する。なお、本実施の形態においては、上述した第１の実施の形態において説明したものと同一の部材等については、同一の符号を用いると共に、その説明は省略する。
【００６７】
図１１は、第２の実施の形態に係る記録装置１０の構成を示す概略的な側面図であり、カバー部材１００が閉じている状態の記録装置１０の概略的な側面構成を示すと共に、手差しトレイ９４も閉じている状態を示している。また、図１２は、図１１からカバー部材１００が開いた状態の記録装置１０の概略的な側面構成を示すと共に、手差しトレイ９４がカバー部材１００に押された状態を示している。
【００６８】
本実施の形態では、第１の実施の形態における回動部材としてのスキャナーユニット８０に代えて、回動部材としてのカバー部材１００を用いている。すなわち、筐体１１の背面側には、不図示の軸受部を介してカバー部材１００が回動可能に設けられている。このカバー部材１００は、本実施の形態では、筐体１１の上方側に設けられている開口部１２を覆うように設けられている。すなわち、図１１に示すように、カバー部材１００の閉じ状態においては、当該カバー部材１００は、開口部１２を覆うように設けられている。
【００６９】
ここで、カバー部材１００が図１１に示すような閉じた状態では、手差しトレイ９４も閉じ状態となっている。この閉じ状態においては、手差しトレイ９４は、上述した第１の実施の形態における場合よりもカバー部材１００の前方側に向かって倒れている。すなわち、図１１に示す状態では、手差しトレイ９４は、第１の実施の形態における閉じ状態の位置よりも反時計回りに向かって倒れている。このとき、図１１に示す構成では、手差しトレイ９４の側面部の表面と、カバー部材１００の表面とが、同程度の高さとなるように設けられている。
【００７０】
かかる図１１に示すようなカバー部材１００および手差しトレイ９４の閉じ状態において、カバー部材１００を開き状態とすると、カバー部材１００の表面が手差しトレイ９４を押し込んで、手差しトレイ９４が開く向き（図１１では時計回りの向き）へ向かうように回動させる。このとき、カバー部材１００の表面は、手差しトレイ９４を開き位置に向かって押し込む。そして、図１２に示すように、カバー部材１００が開き位置に到達するまでの間に、当接部Ｈが傾斜面９３４ａに当接し、その後に当接部Ｈはフック部９３４を徐々に押し下げ、その押し下げによって板状部９３３の撓み量が徐々に大きくなっていく（図５参照）。
【００７１】
しかしながら、本実施の形態においても、カバー部材１００が開き位置に到達しても、当接部Ｈはフック部９３４の頂部Ｔを乗り越えない。すなわち、手差しトレイ９４がカバー部材１００の表面によって押し込まれて、その手差しトレイ９４が開き方向に回動させられる場合でも、当接部Ｈは、傾斜面９３４ａのうち頂部Ｔよりも下方側の部位で傾斜面９３４ａに対してそれ以上摺動しなくなり、それによって手差しトレイ９４の開き方向への回動が規制される。そのため、手差しトレイ９４の当接部Ｈは、傾斜面９３４ａの途中部分に当接した状態を維持する。それにより、手差しトレイ９４は、図５および図１２に示す状態から更に開き方向へ向かって回動するのが阻止される。
【００７２】
そして、図５および図１２に示す状態から、カバー部材１００を閉じる向きに回動させると、カバー部材１００の表面が、手差しトレイ９４を開き方向へ押し込むのが解除される。すると、板状部９３３が撓むように押し込んでいる力がなくなり、板状部９３３の撓み状態も解除される。それにより、手差しトレイ９４は、当該手差しトレイ９４が閉じる向き（図５の状態から反時計回りの向き）に向かって回動させられて、手差しトレイ９４は、図４および図１１に示すような閉じ状態へと復帰させられる。
【００７３】
なお、ユーザーが手差しトレイ９４を手で把持しつつ当該手差しトレイ９４を開く向きに向かうように回動させる場合には、上述した第１の実施の形態における場合と同様に、板状部９３３には、板状部９３３を大きく撓ませる力が作用し、それにより当接部Ｈは傾斜面９３４ａの頂部Ｔを乗り越える。さらに手差しトレイ９４を開く向きに回動させることで、手差しトレイ９４は不図示の係止部に係止され、それによって手差しトレイ９４の開き状態が維持される。それにより、この手差しトレイ９４を介して記録用紙Ｐを、記録装置１０の内部へ送り込むことが可能となっている。
【００７４】
＜効果＞
以上、本発明の第２の実施の形態においても、上述した第１の実施の形態における場合と同様の効果を奏させることが可能となっている。すなわち、カバー部材１００を開き位置から閉じ位置へと向けて回動させると、手差しトレイ９４は復帰部材９３２によって閉じ位置へと戻される。それにより、カバー部材１００が開き位置へ位置した際に手差しトレイ９４を開き位置に位置させたままとするのを防止可能となる。そのため、手差しトレイ９４が意図せぬ開き状態のままとするのを防止可能となる。
【００７５】
また、本実施の形態においても、手差しトレイ９４が開き位置と閉じ位置との間の中間位置に位置する状態においては、板状部９３３の撓み変形により、手差しトレイ９４には閉じ位置に戻す付勢力を良好に与えることが可能となる。また、手差しトレイ９４を中間位置から更に開き位置へと向けて回動させると、板状部９３３が付勢力を与える状態が解除され、手差しトレイ９４が開き位置に位置するのを維持可能となる。
【００７６】
加えて、本実施の形態においても、当接部Ｈが傾斜面９３４ａに当接する場合には手差しトレイ９４が中間位置に位置する状態とすることができると共に、傾斜面９３４ａの頂部Ｔを乗り越えて傾斜面９３４ａから外れる場合には、手差しトレイ９４を開き位置に位置する状態とを維持可能となる。また、板状部９３３からの付勢力の付与により、手差しトレイ９４が閉じ位置に位置する状態とすることも可能である。
【００７７】
さらに、本実施の形態では、カバー部材１００を開き位置まで回動させ、その後カバー部材１００を閉じ位置まで回動させた場合に、手差しトレイ９４は復帰部材９３２によって閉じ位置へと自動的に戻される。それにより、手差しトレイ９４が開いた状態のままとするのを防ぐことが可能となる。なお、図１１および図１２に示す構成においても、手差しトレイ９４はカバー部材１００よりも奥側（背面側）に位置しているため、手差しトレイ９４が開いていても気付き難い場合が多い。しかしながら、手差しトレイ９４が復帰部材９３２によって自動的に閉じ位置まで戻されるため、手差しトレイ９４が開いたままの状態とするのを防止可能となる。
【００７８】
＜変形例＞
以上、本発明の第１および第２の実施の形態について述べたが、本発明は、種々変形可能である。以下、それについて述べる。
【００７９】
（１）変形例その１
上述の第１の実施の形態においては、スキャナーユニット８０の全体が閉じ位置から開き位置へ向かって回動する場合に、手差しトレイ９４を押し込むと共に、スキャナーユニット８０の全体が開き位置から閉じ位置へ向かって回動する場合に、復帰部材９３２によって手差しトレイ９４を閉じ位置に向けて回動させるものとしている。しかしながら、スキャナーユニット８０の全体ではなく、自動送り機構部８１が回動する場合においても、同様の構成を適用させることは可能である。すなわち、自動送り機構部８１が閉じ位置から開き位置へ向かって回動する場合に、手差しトレイ９４を押し込むと共に、自動送り機構部８１が開き位置から閉じ位置へ向かって回動する場合に、復帰部材９３２によって手差しトレイ９４を閉じ位置に向けて回動させる構成としても良い。
【００８０】
このような構成とする場合においても、上述した第１の実施の形態および第２の実施の形態で述べたのと同様の効果を生じさせることは可能である。
【００８１】
（２）変形例その２
また、上述の実施の形態においては、トレイ部材は、手差しトレイ９４として説明している。しかしながら、トレイ部材は手差しトレイ９４に限られるものではない。たとえば、トレイ部材は、手差しトレイとは別に設けられる給紙トレイとしても良い。すなわち、給紙トレイが開き位置と閉じ位置との間で回動する場合にも、上述したような復帰部材９３２を用いることにより、意図せぬ給紙トレイの開き状態を防止する構成としても良い。また、トレイ部材を開閉カバー９５としても良く、この開閉カバー９５に対して復帰部材９３２に対応する構成を設けるようにしても良い。
【００８２】
（３）変形例その３
また、上述の実施の形態では、復帰部材９３２は弾性的に撓み変形する付勢手段としての板状部９３３を備えている。しかしながら、付勢手段は板状部に限られるものではない。たとえば、付勢手段として、捩じりバネ、コイルスプリング、板バネ等のようなバネ部材を用いるようにしても良い。この場合には、手差しトレイ９４には、常に閉じ位置に向かう付勢力を与えるように構成するのが好ましい。手差しトレイ９４に常に閉じ位置に向かう付勢力が与えられる場合、当該手差しトレイ９４を使用する際に、開き位置に位置させても手差しトレイ９４には閉じ位置に向かう付勢力が与えられる。そのため、手差しトレイ９４の開き状態を維持するための別途の係止部材を設け、手差しトレイ９４を開き位置に位置させた場合に、この係止部材によって手差しトレイ９４を係止させる構成を採用しても良い。
【００８３】
（４）変形例その４
また、上述の実施の形態においては、復帰部材９３２は、トレイ基部９３の長手方向における中央側に設けられるものとしている。しかしながら、復帰部材は、トレイ基部９３の長手方向の端部側に設けられるものとしても良い。このように構成しても、復帰部材９３２がトレイ基部９３の長手方向の中央側に設けられる場合と同様に、手差しトレイ９４を閉じ方向へ自動的に戻す付勢力を与えることは可能である。なお、復帰部材は、トレイ基部９３の長手方向における両端側に設けられるものとしても良いが、トレイ基部９３の長手方向におけるいずれか一方の端部側に設けられるものとしても良い。また、復帰部材は、トレイ基部９３の長手方向における中央側と端部側に設けられる構成を採用しても良い。
【００８４】
（５）変形例その５
上述の実施の形態では、記録ヘッド５０は、キャリッジ軸５６に沿って移動するキャリッジ５１に設けられている。しかしながら、記録ヘッドは、たとえば記録用紙Ｐの幅方向に沿って長手に設けられるラインヘッドであっても良い。
【００８５】
（６）変形例その６
また、上述の実施の形態において、記録装置１０の概念には、上述したインクジェット式のプリンター以外に、レーザープリンターを含めることも可能である。すなわち、レーザープリンターに対しても、本発明を適用可能である。記録装置１０の概念には、インク以外の他の液体（液体そのものや、機能材料の粒子が液体に分散又は混合されてなる液状体、ゲルのような流動性を有する材質を含む）を噴射したりする流体噴射装置を含むようにすることもでき、そのような流体噴射装置に対しても本発明を適用可能である。そのようなものとしては、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液体を噴射する液状体噴射装置、バイオチップ製造に用いられる生体有機物を噴射する流体噴射装置、精密ピペットとして用いられ試料となる液体を噴射する流体噴射装置等がある。
【００８６】
（７）変形例その７
さらに、本発明の記録装置１０の概念に含まれるものとしては、時計やカメラ等の精密機械にピンポイントで潤滑油を噴射する流体噴射装置、光通信素子等に用いられる微小半球レンズ（光学レンズ）などを形成するために紫外線硬化樹脂等の透明樹脂液を基板上に噴射する流体噴射装置、基板などをエッチングするために酸又はアルカリ等のエッチング液を噴射する流体噴射装置、ゲル（例えば物理ゲル）などの流状体を噴射する流状体噴射装置等がある。
【符号の説明】
【００８７】
１０…記録装置、１１…筐体、１２…開口部、２０…フロント給紙機構、２１…用紙カセット、２２…ピックアップローラー、２４…アーム部材、２５…揺動軸、２６…分離部材、３０…ガイドローラーユニット、３１…ローラー、３２…中間ローラー、３３…アシストローラー、４０…用紙搬送機構、４１…搬送モーター、４２…搬送駆動ローラー、４３…搬送支持部材、４４…搬送従動ローラー、５０…記録ヘッド、５１…キャリッジ、５２…キャリッジ軸、５３…キャリッジモーター、５４…カートリッジ、５６…キャリッジ軸、６０…用紙排出機構、６１…排出駆動ローラー、６２…排出従動ローラー、７０…フロント搬送経路、７１…フレーム部材、７２…回り込み部材、８０…スキャナーユニット、８０ａ…端面、８１…自動送り機構部、８２…スキャナー機構部、９０…ガイド機構、９１…手差し用開口部、９２…トレイ体、９３…トレイ基部、９３ａ…傾斜部、９３ｂ…端部、９４…手差しトレイ、９４ａ…ガイド部、９４ｂ…当接端部、９４ｃ…回動軸、９５…開閉カバー、９５ａ…回動軸、９５ｂ…裏面、９５ｃ…位置規制部、９７…サポート部材、１００…カバー部材、１２０…上方ガイド部材、１４０…制御部、１４１…通信インターフェース、８１１…筐体、８１２…軸受部、８２１…筐体、８２２…原稿台、８２３…延伸部分、９３１…本体部、９３２…復帰部材（復帰手段の一例に対応）、９３３…板状部（付勢手段の一例に対応）、９３４…フック部、９３４ａ…傾斜面、Ｃ…中心、Ｄ１…フロント搬送経路、Ｄ２…反転用搬送経路、Ｈ…当接部、Ｐ…記録用紙、ＰＳ…コンピューター、Ｓ１…紙端検出センサー、Ｔ…頂部
【図１】
2013255151.tif 000003
【図２】
2013255151.tif 000004
【図３】
2013255151.tif 000005
【図４】
2013255151.tif 000006
【図５】
2013255151.tif 000007
【図６】
2013255151.tif 000008
【図７】
2013255151.tif 000009
【図８】
2013255151.tif 000010
【図９】
2013255151.tif 000011
【図１０】
2013255151.tif 000012
【図１１】
2013255151.tif 000013
【図１２】
2013255151.tif 000014